(57)【要約】【課題】  法面の緑化構造においては、長期に日照りが続いても法面に生えた草木が枯れないように保水性を十分に維持できるようにし、それによって法面の緑化促進が図れるようにすること。【解決手段】  本発明に係る法面の緑化構造は、法面に表層材を形成するだけでなく、法面に対して地山方向または深さ方向に所要深さの縦穴を複数個設け、該各縦穴に高吸水性材料（ポリマー）からなる保水材を充填したことによって、降雨時に大量の雨水を保水させるようにし、日照りが続いても縦穴の保水材からの給水で法面が乾燥しなくなるので、法面に生えた草木が枯れないようになると共に、草木によって法面に日影ができ水分の蒸発を妨げ水分が保留されるようになるので、法面の緑化が効率よく促進されるという優れた効果を奏する。【選択図】図１
2007002427.tif 000002
【特許請求の範囲】
【請求項１】
地山を削った法面に対して、該法面の地山方向に所要深さの縦穴を所要間隔をもって複数個設け、
該各縦穴に高吸水性材料からなる保水材を充填し、
該各縦穴の開口部は表層材で塞がれていること
を特徴とする法面の緑化構造。
【請求項２】
前記表層材の上に複数の支圧板を配設してアンカーにより緊張定着させたこと
を特徴とする請求項１に記載の法面の緑化構造。
【請求項３】
前記表層材は、保水性シート材と植生基盤材とからなること
を特徴とする請求項１乃至２に記載の法面の緑化構造。
【請求項４】
地山を削った法面に対して、該法面の地山方向に所要深さの縦穴を所要間隔をもって複数個設ける工程と、
該各縦穴に高吸水性材料からなる保水材を充填する工程と、
該各縦穴の開口部は表層材で塞ぐ工程とからなること
を特徴とする法面の緑化施工方法。
【請求項５】
前記表層材の上に複数の支圧板を配設してアンカーにより緊張定着させる工程を有すること
を特徴とする請求項４に記載の法面の緑化施工方法。
【請求項６】
前記表層材は、保水性シート材を敷設した上に植生基盤材を吹き付けて積層すること
を特徴とする請求項４乃至５に記載の法面の緑化施工方法。
【発明の詳細な説明】
【技術分野】
【０００１】
本発明は、特に、乾燥地帯における道路建設等で地山を削って生じた法面や、保水力の少ない岩盤が表出している法面における緑化構造とその施工方法に関するものである。
【背景技術】
【０００２】
従来、道路建設等で地山を削って生じた法面等においては、落石や地滑りなどによる崩壊を防ぐために、例えば、法面に沿ってコンクリート製の擁壁を形成したり、コンクリートブロックをアンカーで固定して複数個並べて敷設するようにしている。このようなコンクリート製の壁面またはブロックにおいては、ほとんどの場合保水性がないことから、植物が育たず、春先から梅雨時に一時的に草木が芽を出して緑化状況になるが、夏場の日照りによって枯れてしまうという状況にある。
【０００３】
このような状況において、法面の緑化が可能であるとして、例えば、アンカーにより法面の地山に定着した支圧板（コンクリート製と鋼板製とを含む）の表面を金網で覆い、該金網を法面に固定し、その金網が隠れるまで植生基盤材を吹き付けると共に客土の施工後に、この植生基盤材に種子や植物を植え付けるというものである（特許文献１参照）。
【０００４】
また、他の法面の緑化工法としては、緑化すべき基盤である岩盤の表面に取り付けられた緑化用保水シートと、該緑化用保水シートの上に積層された緑化用定着構造と、該緑化用定着構造の上に積層された植生基材とからなるものであり、緑化用保水シートは、透水性袋体に保水剤を封入してなり、該保水剤は、耐アルカリ性及び吸放湿性を有するとともに、カルシウムイオンを主体とするアルカリ成分を含む水を保水できる材料で構成されたものである（特許文献２参照）。
【０００５】
さらに、砂質土などの降雨水による浸食や滑落の影響を受けやすい法面などの斜面に緩んだ地表層部分を植物の根系が侵入できる程度に固化するために地盤改良材を散布したのち、客土を吹き付けるというものであり、地盤改良材として、微粒バークの客土、アルファーグリーンの接合材、ファイバーの被覆材、化成肥料などを適当な比率で配合したものを使用するとしている（特許文献３参照）。
【０００６】
【特許文献１】特開２００４−２７５７４号公報
【特許文献２】特開２００４−８４４１５号公報
【特許文献３】特開２００４−１３７７７２号公報
【発明の開示】
【発明が解決しようとする課題】
【０００７】
しかしながら、前記特許文献１の公知技術においては、支圧板の表面に配設した金網が隠れるまで吹き付けた土砂を主体にした植生基盤材は、金網によって崩落することなく支持されるとしているが、降雨時において実際には大きい粒の土砂は支持されるが小径の土砂は流されてしまい、それによって植生基盤材における保水性が低下し、春先に芽が出て一時的に緑化される部分はあるが、日照りが続く夏場においては植生基盤材の乾燥によって植物は枯れてしまうという問題点を有している。
【０００８】
また、前記特許文献２の公知技術においては、透水性袋体に保水剤を封入した緑化用保水シートを法面に敷設して、その上に緑化用定着板または緑化用定着構造を積層し、さらに植生基材を積層する構造であるが、これら積層構造において緑化用保水シートが存在することは、保水性を維持することで好ましいことであるが、その上部に緑化用定着板または緑化用定着構造と植生基材とが積層されているが、やはり、保水シートは法面の表面に対して平面的に敷設されているだけであり、乾燥地域において日照りが続く夏場においては、上部に積層した植生基材の厚さにもよるが、その植生基材自体が乾燥してしまい植物が枯れてしまうという問題点を有している。
【０００９】
さらに、前記特許文献３の公知技術においても、地盤改良材で地表層を固化するというものであるが、その地表層に保水機能が付与されていないことから、乾燥地域では適用できないし、また、乾燥地域でなくても、夏場において日照りが続くと地表層が乾燥してしまい、植物が枯れてしまうという問題点を有している。
【００１０】
いずれにしても、前記従来例における比較的保水性の悪い法面の緑化工法においては、法面の崩壊を防止すべく表層部に支圧板をアンカー材で固定させ、その上に金網を敷設して植生基盤材を吹き付けたものにおいては、その植生基盤材の保水性が不十分で植物が育たないし、また、緑化用保水シートを敷設してその上に緑化用定着構造と植生基材とを積層したもの、さらに、法面の地表層を地盤改良材で固化するというものにおいては、長期の日照りが続いた時に保水性が不十分であり、水分不足による草木の育成維持ができなくなり法面の緑化が出来なくなってしまうのである。
【００１１】
従って、従来技術においては、長期に日照りが続いても法面に生えた草木が枯れないように保水性を十分に維持できるようにし、それによって法面の緑化促進が図れるようにすることに解決課題を有する。
【課題を解決するための手段】
【００１２】
上記した従来例の課題を解決する具体的手段として本発明に係る法面の緑化構造は、地山を削った法面に対して、該法面の地山方向に所要深さの縦穴を所要間隔をもって複数個設け、該各縦穴に高吸水性材料からなる保水材を充填し、該各縦穴の開口部は表層材で塞がれていることであり、また、その施工方法は、地山を削った法面に対して、該法面の地山方向に所要深さの縦穴を所要間隔をもって複数個設ける工程と、該各縦穴に高吸水性材料からなる保水材を充填する工程と、該各縦穴の開口部は表層材で塞ぐ工程とからなること、を最も主要な特徴とする。
【００１３】
この法面の緑化構造の発明において、前記表層材の上に複数の支圧板を配設してアンカーにより緊張定着させたこと；前記表層材は、保水性シート材と植生基盤材とからなること；および法面の緑化施工方法の発明においては、前記表層材の上に複数の支圧板を配設してアンカーにより緊張定着させる工程を有すること；前記表層材は、保水性シート材を敷設した上に植生基盤材を吹き付けて積層すること、をそれぞれ付加的な要件として含むものである。
【発明の効果】
【００１４】
本発明に係る法面の緑化構造は、法面に表層材を形成するだけでなく、法面に対して地山方向に所要深さの縦穴を複数個設け、該各縦穴に高吸水性材料（ポリマー）からなる保水材を充填したことによって、日照りが続いても縦穴の保水材からの給水で法面が乾燥しなくなるので、法面に生えた草木が枯れないようになると共に、草木によって法面に日影ができ水分の蒸発を妨げ水分が保留されるようになるので、法面の緑化が効率よく進行するという優れた効果を奏する。
また、激しい降雨時において法面地盤が過剰に吸水しても、法面の表面に保水性シート材が存在すること及び縦穴内に高吸水性の保水材が存在することによって雨水を吸水保有すると共に、支圧板と一緒に法面を押さえ付けて流動崩壊しないようになるという優れた効果を奏する。
【発明を実施するための最良の形態】
【００１５】
次に、本発明を具体的な実施の形態に基づいて詳しく説明する。
本発明の第１の実施の形態に係る法面の緑化構造についてその断面を図１に略示的に示してある。この緑化構造は、例えば、地山を削った法面１の傾斜が比較的緩やかな場合であって、例えば、傾斜角度が略４０度以下で、保水性が低い砂質土または岩盤などからなる法面１に対して施工されるものであり、法面１に保水性シート材２を敷設すると共に、その上部に植生基盤材３を例えば吹き付け手段により所要厚さ堆積させて表層部４を形成する。
【００１６】
この表層部４の形成に先立って、法面１に対して地山方向、好ましくは略直行する方向に、所要間隔をもって複数個の縦穴５を設ける。この場合の縦穴５は、例えば、直径が略１００ｍｍ以下、好ましくは５０〜７０ｍｍ程度で深さが略１〜１．５ｍ程度であり、これら各縦穴５内には高吸水性ポリマーまたは繊維状の不織布等からなる保水材６を所要量充填した後に、その開口部を表層部４で塞ぐようにするのである。
【００１７】
前記表層部４を形成するための保水性シート材２は、この種の緑化のために使用されている周知のものがそのまま使用でき、また、植生基盤材３についても、周知のものが使用できる。例えば、土壌を主体としこれに肥料成分や草木の種子を配合したものであり、吹きつけ可能な状態のものであれば良いのである。そして、法面１に敷設した保水性シート材２は、その上から、例えば、２０ｃｍ〜５０ｃｍ程度の竹製の杭を法面１に複数箇所に打ち込んで滑らないように固定しても良いのである。
【００１８】
また、縦穴５に充填される高吸水性ポリマーまたは繊維状の保水材６は、吸水率が少なくとも１００倍程度を有するものであり、縦穴５内に所要量を直接投入しても良いが、ポリマーの場合は、予め例えば、通水性と膨潤性とを有する紙等の生分解性材料で形成された細長い袋体に入れたものを縦穴５内に挿着して収納するようにしても良いのである。  
【００１９】
本発明の第２の実施の形態について、図２と図３を用いて説明すると、図２は緑化構造を略示的に示した断面図であり、図３はその正面側を示してある。この第２の実施の形態に係る緑化構造においても、やはり、地山を削った法面１に対して緑化する構造であり、法面１の傾斜角度が４０度を超えて４５〜６０度程度傾斜している法面に対して適用されるものである。前記第１の実施の形態と同様に法面１に対して、保水性シート材２を敷設すると共に、その上部に植生基盤材３を例えば吹き付け手段により所要厚さ堆積させ、表層部４を形成する。
【００２０】
このように法面１に対して表層部４を形成した後に、コンクリートブロックまたは鋼板等で形成され十字状の脚部を有する支圧板７を複数整列させて配設し、これら支圧板７は中心部に設けた定着凹部８を介してそれぞれアンカー９により法面１に対して緊張定着されるものであり、該アンカー９の定着凹部８における定着端部はキャップ等を被せるか、または定着後に定着凹部８を全面的に埋めて防錆処理される。
【００２１】
そして、前記第１の実施の形態と同様に、定着された支圧板７の周囲において、特に、各アンカー９の周囲においてアンカー方向と同じように法面１に対して地山方向に、好ましくは略直行する方向に、複数個の縦穴５を設け、これら各縦穴５内に所要量の高吸水性ポリマーからなる保水材６を充填した後に縦穴５の開口部は表層部４で塞がれる。
【００２２】
この場合に、法面１に対して、先に縦穴５を穿け保水材６を充填してから表層部４の形成と支圧板７の配設とを行うようにしても良いし、また、表層部４の形成と支圧板７とを取り付けた後に縦穴５を穿設するようにしても良いのである。要するに、前記第１の実施の形態で示した実施例のように、保水材６を収納した縦穴５と表層部４とを形成した状態において、支圧板７を表層材４の上に配設してアンカー９で定着しても良いし、表層部４の上に支圧板７を定着した後に縦穴５を形成しても良いのである。そして、必要があれば、その縦穴５が崩れないように、その縦穴５の穴径と長さとに見合った所要の樹脂製パイプ材（周面に多数の小孔を設けた）を挿着しても良いのである。
【００２３】
次に、図４〜５に第３の実施の形態を示してある。この実施の形態においても支圧板を使用するものであるが、その使用される支圧板７は、例えば、鋼板で形成されたものであって、十字状の脚部の間にスラブ５ａが設けられたものである。要するにスラブ５ａ付きの支圧板７が使用されるのである。このようなスラブ５ａ付き支圧板７の場合は、法面１が比較的急峻な場合に使用されることが多く、脚部のみならず各スラブ５ａ部分で法面１を押さえ付けて部分的な崩壊を防いでいるのである。
【００２４】
そして、各スラブ５ａの所要位置に水抜き穴を兼ねた貫通孔１０が形成されており、該貫通孔１０を介して法面１に縦穴５を穿設するか、または予め穿設された縦穴５に貫通孔１０を位置合わせして連通させるようにすれば良いのである。この場合の縦穴５も、要するに、アンカー９の周囲に形成される点で前記第１の実施の形態と共通するのである。
【００２５】
この場合に、法面１に対して、保水性シート材２を敷設した後に支圧板７を配設し、該支圧板７は中央部の定着凹部８を介してそれぞれアンカー９により緊張定着される点で前記第１の実施の形態と同じであるが、その後に、支圧板７の上部から植生基盤材３を吹き付け手段により所要厚さに堆積させる点で、順序が少し違っているのである。しかしながら、保水性シート材２と植生基盤材３とで表層部４を形成する点では同じである。    
【００２６】
また、この実施の形態の場合も、縦穴５内には、前記第１の実施の形態と同様に保水材６を投入または収納しておく点で同じである。なお、スラブ５ａ付きの支圧板７は、コンクリート製であっても同じように適用できるし、支圧板７の上部に堆積させた植生基盤材３は、その上を更に生分解性材料で形成されたネット材で覆うこともできる。  
【００２７】
さらに、スラブ５ａ付きの支圧板７を使用する場合には、表層部４として保水性シート２を除外した形態で実施することもできる。即ち、スラブ５ａが存在することで、法面１の大半を覆い隠して水分の蒸発を抑制しており、その法面１に形成した縦穴５内に保水材６を充填して置きさえすれば、日照りが続いても枯渇せず長期に渡って植生基盤材３に対して水分を供給して、植生基盤材３に生えた草木を枯らさないようにできるのである。
【００２８】
このようにいずれの実施の形態においても、地山を削った法面１に対して、地山方向または深さ方向に複数の縦穴５を形成し、その縦穴５に保水材６を充填しておくことにより、降雨時に法面１に沿う表面の平面的な保水性シート材２で保水することはもちろんであるが、その平面的な保水性シート材２だけでなく地山方向における縦穴５内の保水材６でも保水されるのであり、しかも、縦穴５内の保水材６による保水は日照りが長く続いても表面側の保水性シート材２とは違って、乾燥することがほとんどないのであり、それによって、法面１に生えた草木の根部に植生基盤材３を介して水分を送り続け簡単には枯れさせたりしないのである。なお、縦穴５の形成について、地山方向というのは、法面１に対して直行する方向が好ましいが、水平方向またはやや上向き方向が全て含まれるのであって、要するに、法面１からの深さ方向であれば良いのである。
【００２９】
また、法面１に生えた草木が枯れなければ、表面側に日陰が多くできて植生基盤材３も乾燥しないようになるので、草木が益々生い茂るようになり、それによって法面１が草木で覆い隠されて緑化がどんどん進むようになり、乾燥地帯であっても保水材６収納の縦穴５の存在によって緑化を促進させることができるのである。そして、スコールのような短時間で多量の降雨があった場合でも、保水材６がその水分を流出させないで吸水するのでさらに乾燥が続いても草木に対する給水を続けることができるのである。
【００３０】
なお、上記した第３の実施の形態においては、支圧板７のスラブ５ａによって法面１の大半が覆われることになるが、支圧板７における隣接同士の間隙部分と、スラブ５ａに設けた貫通孔１０とによって保水性シート材２及び縦穴５からの水分が植生基盤材３に供給されるのであり、植生基盤材３に根を張った草木に対して枯れないように適度に水分を供給し続けているのである。
【００３１】
さらに、法面１の表面に形成した植生基盤材３を生分解性材料のネット材で覆った場合に、該ネット材によって植生基盤材３が崩落しないように押さえ付けられており、少なくともその間に（１〜２年）草木が生えて根を絡み合わせるので植生基盤材３は崩落しないようになるのである。その後に、ネット材が腐食し分解しても法面１から植生基盤材３がずれ落ちたり崩落したりしないのである。
【産業上の利用可能性】
【００３２】
いずれにしても、本発明においては、法面の表面に保水性シート材と植生基盤材とからなる表層部を形成すると共に、法面に対して地山方向、好ましくは直行する方向に複数個の縦穴を設け、その各縦穴に高吸水性ポリマーからなる保水材を充填しておくことによって、降雨時に大量の雨水を保水させるようにし、日照りが続いても法面が乾燥しないように構成したのであり、それによって法面に生えた草木が枯れないようにすると共に、草木によって法面に日影ができ水分の蒸発を妨げ水分が保留されるようになることで、法面の緑化を効果的に促進させることができるのであり、乾燥地域における法面の緑化促進に対して寄与でき有効に広く利用できるのである。
【図面の簡単な説明】
【００３３】
【図１】本発明の第１の実施の形態に係る法面の緑化構造の一部を略示的示した断面図である。
【図２】本発明の第２の実施の形態に係る法面の緑化構造の一部を略示的示した断面図である。
【図３】同第２の実施の形態に係る緑化構造の一部を略示的に示した正面図である。
【図４】本発明の第３の実施の形態に係る法面の緑化構造の一部を略示的示した正面図である。
【図５】同第３の実施の形態に係る緑化構造の一部を略示的に示した断面図である。
【符号の説明】
【００３４】
１  法面
２  保水性シート材
３  植生基盤材
４  表層部
５  縦穴
６  保水材
７  支圧板
７ａ  スラブ
８  定着凹部
９  アンカー
１０  貫通孔
【図１】
2007002427.tif 000003
【図２】
2007002427.tif 000004
【図３】
2007002427.tif 000005
【図４】
2007002427.tif 000006
【図５】
2007002427.tif 000007